(57)【要約】【課題】盗難防止機能の誤作動を防止することができるとともに、誤作動によるブザー音等の警報の発生を防止することができる映像表示装置を提供することを目的とする。【解決手段】液晶プロジェクタ１は、液晶プロジェクタ１の盗難を防止するためのアラーム機能を有する盗難防止部９と、盗難防止部９を制御するための制御信号を生成するＣＰＵ１２を備えている。そして、ＣＰＵ１２は、液晶プロジェクタ１の工場出荷前に盗難防止部９のアラーム機能を停止させる。【選択図】図１
2008097352.tif 000002
【特許請求の範囲】
【請求項１】
映像表示装置の盗難を防止するためのアラーム機能を有する盗難防止手段と、前記盗難防止手段を制御するための制御信号を生成する制御手段とを備える映像表示装置において、
前記制御手段は、前記映像表示装置の工場出荷前に前記盗難防止手段のアラーム機能を停止させることを特徴とする映像表示装置。
【請求項２】
前記盗難防止手段は、前記映像表示装置の盗難を検知する検知手段と、前記検知手段の検知結果に基づいて、前記映像表示装置の盗難を報知する報知手段と、前記検知手段と前記報知手段を制御する他の制御手段を備え、前記他の制御手段は、前記制御手段が生成した前記制御信号に基づいて、前記検知手段と前記報知手段の機能を停止させることを特徴とする請求項１に記載の映像表示装置。
【請求項３】
前記盗難防止手段は、該盗難防止手段に対して電源電力を供給する電池を更に備え、ＡＣ電源からの電源電力の供給が遮断された場合に、前記電池から、前記盗難防止手段に電源電力が供給されるとともに、前記他の制御手段が、前記盗難防止手段を低消費電力モードに設定することを特徴とする請求項１または請求項２に記載の映像表示装置。
【請求項４】
前記映像表示装置の工場出荷後、前記ＡＣ電源からの電源電力の供給が開始された場合に、前記制御手段は、前記盗難防止手段のアラーム機能を動作させることを特徴とする請求項３に記載の映像表示装置。
【請求項５】
前記他の制御手段は、前記制御手段が生成した前記制御信号に基づいて、前記検知手段と前記報知手段の機能を動作させることを特徴とする請求項４に記載の映像表示装置。
【発明の詳細な説明】
【技術分野】
【０００１】
本発明は、盗難防止機能を備えた液晶プロジェクタ等の映像表示装置に関する。
【背景技術】
【０００２】
近年、液晶プロジェクタ等の映像表示装置の普及が広まっているが、当該液晶プロジェクタは、小型で持ち運びが可能であり、かつ、比較的高価なことから、盗難が増加してきており、盗難防止策を講じる必要性が高まってきている。
【０００３】
ここで、この盗難防止策としては、パスワードの設定やＰＣカード等を使用することにより、液晶プロジェクタ自体に盗難防止機能を持たせる方法と、液晶プロジェクタに対して、盗難防止装置を取り付ける方法とがある。
【０００４】
液晶プロジェクタに対して盗難防止装置を取り付ける方式としては、例えば、多芯ケーブルを介して、液晶プロジェクタに盗難防止装置を接続する方式が提案されている。より具体的には、複数の信号線を有する多芯ケーブルを介して、液晶プロジェクタに接続されたアラーム制御装置と、アラーム制御装置に接続されるとともに、当該アラーム制御装置が発生した盗難検出信号が入力されるアラーム装置とを備える盗難防止装置が開示されている。そして、液晶プロジェクタ本体を持ち去ろうとして、多芯ケーブルが切断された場合や、液晶プロジェクタが多芯ケーブルから外された場合は、アラーム制御装置が盗難検出信号を発生するとともに、当該盗難検出信号がアラーム装置に入力され、アラーム装置が、ブザー音等の警報を発生させる構成となっている（例えば、特許文献１参照）。
【特許文献１】特開平７−１６０９５５号公報
【発明の開示】
【発明が解決しようとする課題】
【０００５】
しかしながら、上記従来の盗難防止装置においては、工場からの出荷後、ユーザーが使用を開始するまでの間、盗難防止装置の機能（即ち、アラーム装置のアラーム機能）が停止していない状態にある。従って、工場からの出荷後、ユーザーが使用を開始するまでの間に（例えば、盗難防止装置の梱包を行う際や、運搬の際に）、盗難防止機能が誤って作動してしまう場合がある。その結果、液晶プロジェクタの盗難時以外にブザー音等の警報が発生してしまい、騒音となるという問題があった。
【０００６】
そこで、本発明は、上述の問題に鑑みてなされたものであり、盗難防止機能の誤作動を防止することができるとともに、当該誤作動によるブザー音等の警報の発生を防止することができる映像表示装置を提供することを目的とする。
【課題を解決するための手段】
【０００７】
上記目的を達成するために、請求項１に記載の発明は、映像表示装置の盗難を防止するためのアラーム機能を有する盗難防止手段と、盗難防止手段を制御するための制御信号を生成する制御手段とを備える映像表示装置において、制御手段は、映像表示装置の工場出荷前に盗難防止手段のアラーム機能を停止させることを特徴とする。
【０００８】
同構成によれば、映像表示装置の工場出荷後、ユーザーが映像表示装置の使用を開始するまでの間に（例えば、映像表示装置の梱包や運搬を行う際に）、盗難防止手段のアラーム機能の誤作動を防止することが可能になる。従って、盗難防止手段のアラーム機能の誤作動によるブザー音等の警報の発生を防止することが可能になる。
【０００９】
請求項２に記載の発明は、請求項１に記載の映像表示装置であって、盗難防止手段は、映像表示装置の盗難を検知する検知手段と、検知手段の検知結果に基づいて、映像表示装置の盗難を報知する報知手段と、検知手段と報知手段を制御する他の制御手段を備え、他の制御手段は、制御手段が生成した制御信号に基づいて、検知手段と報知手段の機能を停止させることを特徴とする。同構成によれば、制御手段の制御信号に基づいて、簡単な構成で、盗難防止手段のアラーム機能の誤作動を防止することが可能になる。
【００１０】
請求項３に記載の発明は、請求項１または請求項２に記載の映像表示装置であって、盗難防止手段は、盗難防止手段に対して電源電力を供給する電池を更に備え、ＡＣ電源からの電源電力の供給が遮断された場合に、電池から、盗難防止手段に電源電力が供給されるとともに、他の制御手段が、盗難防止手段を低消費電力モードに設定することを特徴とする。同構成によれば、映像表示装置の工場出荷後、ユーザーが映像表示装置の使用を開始するまでの間、電池の消耗を効果的に抑制することができる。
【００１１】
請求項４に記載の発明は、請求項３に記載の映像表示装置であって、映像表示装置の工場出荷後、ＡＣ電源からの電源電力の供給が開始された場合に、制御手段は、盗難防止手段のアラーム機能を動作させることを特徴とする。
【００１２】
同構成によれば、映像表示装置の工場出荷後、ユーザーが映像表示装置の使用を開始する際に、簡単な構成で、盗難防止手段のアラーム機能を動作させることができる。従って、ユーザーが煩わしい操作を行うことなく、盗難防止手段のアラーム機能を動作させることができるため、ユーザーの利便性が向上する。
【００１３】
請求項５に記載の発明は、請求項４に記載の映像表示装置であって、他の制御手段は、制御手段が生成した制御信号に基づいて、検知手段と報知手段の機能を動作させることを特徴とする。同構成によれば、制御手段の制御信号に基づいて、簡単な構成で、盗難防止手段のアラーム機能を動作することが可能になる。
【発明の効果】
【００１４】
本発明によれば、盗難防止手段を備えた映像表示装置において、映像表示装置の工場出荷後、ユーザーが映像表示装置の使用を開始するまでの間において、盗難防止手段のアラーム機能の誤作動によるブザー音等の警報の発生を防止することが可能になる。
【発明を実施するための最良の形態】
【００１５】
以下に、本発明の具体的な実施形態について図面を参照しながら説明する。図１は、本発明の実施形態に係る映像表示装置の構成を示すブロック図である。なお、本実施形態では、映像表示装置として、液晶プロジェクタを例に挙げて説明する。
【００１６】
この液晶プロジェクタ１は、図１に示すように、外部（例えば、コンピュータ５０）から、液晶プロジェクタ１に入力された映像信号（即ち、ＲＧＢビデオ信号）に対して、所定の信号処理を施す信号処理部２と、信号処理部２により信号処理が施された映像信号が入力されるとともに、赤色用液晶パネル６、緑色用液晶パネル７、および青色用液晶パネル８（以下、「液晶パネル６〜８」という場合がある。）を駆動する赤色用液晶ドライバ３、緑色用液晶ドライバ４、および青色用液晶ドライバ５（以下、「液晶ドライバ３〜５」という場合がある。）を備えている。
【００１７】
液晶ドライバ３〜５によって駆動される液晶パネル６〜８としては、例えば、シフトレジスタを内蔵するとともに、アクティブマトリクス方式の薄膜トランジスタ（ＴＦＴ：Ｔｈｉｎ  Ｆｉｌｍ  Ｔｒａｎｓｉｓｔｏｒ）を用いた液晶パネルが採用できる。即ち、複数の画素がｍ×ｎのマトリクス状に配列された有効画素部と、各走査ラインを駆動する垂直走査回路と、各水平ラインを走査する水平走査回路と、スイッチング素子としての薄膜トランジスタを備える液晶パネルを使用することができる。
【００１８】
また、液晶プロジェクタ１は、信号処理部２や液晶ドライバ３〜５等の制御を行う制御手段としてのＣＰＵ１２と、記憶手段であるＲＯＭ１３およびＲＡＭ１４を備えている。このＲＯＭ１３、およびＲＡＭ１４はＣＰＵ１２に接続されており、ＣＰＵ１２は、ＲＯＭ１３に記憶されているプログラムに従い、各部の制御を行う。
【００１９】
また、ＣＰＵ１２には、リモコン信号受光部１６が接続されており、当該リモコン信号受光部１６は、リモコン１７からのリモコン信号を受信して、ＣＰＵ１２に供給する構成となっている。
【００２０】
以上の構成の下、コンピュータ５０から液晶プロジェクタ１に入力された映像信号Ｒ、Ｇ、Ｂは、信号処理部２に送られ、所定の信号処理が施される。より具体的には、信号処理部２は、コンピュータ５０から入力される映像信号Ｒ、Ｇ、Ｂに対し、当該映像信号がアナログ信号の場合は、まず、適切なタイミングでサンプリングするとともに、デジタル信号に変換し、ブライトやコントラストを調整し、ガンマ補正を行い、次いで、デジタル信号に変換された映像信号Ｒ、Ｇ、Ｂをアナログ信号に変換して、信号処理が施された映像信号Ｒ、Ｇ、Ｂを生成する。
【００２１】
次いで、信号処理部２により信号処理が施された映像信号Ｒ、Ｇ、Ｂが、信号処理部２により、液晶ドライバ３〜５へと出力され、液晶ドライバ３〜５は、当該映像信号Ｒ、Ｇ、Ｂに基づいて、液晶パネル６〜８を駆動する。より具体的には、液晶ドライバ３は、液晶パネル６を駆動するために、映像信号Ｒを、所定のタイミングで交流反転させ、当該交流反転された映像信号Ｒを液晶パネル６に供給する。また、同様に、液晶ドライバ４は、液晶パネル７を駆動するために、映像信号Ｇを、所定のタイミングで交流反転させ、当該交流反転された映像信号Ｇを液晶パネル７に供給する。また、同様に、液晶ドライバ５は、液晶パネル８を駆動するために、映像信号Ｂを、所定のタイミングで交流反転させ、当該交流反転された映像信号Ｂを液晶パネル８に供給する。
【００２２】
そして、各液晶パネル６〜８において、所定のタイミングに基づいて、水平方向、および垂直方向の書き込み転送が制御されると同時に、液晶ドライバ３〜５により交流反転された映像信号Ｒ、Ｇ、Ｂが、所定の画素に書き込まれ、各液晶パネル６〜８に画像が形成される。
【００２３】
そして、各液晶パネル６〜８に形成された画像上を、光源（不図示）による光が透過して、赤色（Ｒ）、緑色（Ｇ）、青色（Ｂ）の映像光が生成する。生成した映像光は、クロスダイクロイックプリズム（不図示）に与えられるとともに、当該クロスダイクロックプリズムにより合成されてカラー映像光となる。そして、このカラー映像光は、投与レンズ（不図示）によって拡大投与され、当該投与レンズを経て、スクリーン上に投影される構成となっている。
【００２４】
また、液晶プロジェクタ１は、盗難防止機能を備えており、図１に示すように、当該液晶プロジェクタ１の盗難を防止するためのアラーム機能を有する盗難防止手段である盗難防止部９を備えている。この盗難防止部９は、液晶プロジェクタ１の盗難を検知する検知手段である振動センサ１０と、振動センサ１０の検知結果に基づいて、液晶プロジェクタ１の盗難時にブザー音等の警報を発生して、盗難を報知する報知手段であるアラーム装置１１を備えている。また、盗難防止部９は、振動センサ１０、およびアラーム装置１１に接続されるとともに、当該振動センサ１０やアラーム装置１１等の制御を行う他の制御手段としてのＣＰＵ１５と、記憶手段であるＲＯＭ１８およびＲＡＭ１９を備えている。このＲＯＭ１８、およびＲＡＭ１９はＣＰＵ１５に接続されており、ＣＰＵ１５は、ＲＯＭ１８に記憶されているプログラムに従い、盗難防止部９の各部の制御を行う。また、盗難防止部９は、当該盗難防止部９の各部に電源電力を供給するための２次電池３０を備えている。
【００２５】
なお、本実施形態においては、振動センサ１０は、液晶プロジェクタ１の盗難時における動きによる振動を検知できるものであればどのようなものでも良く、例えば、加速度センサ、歪みゲージセンサ等を使用することができる。また、アラーム装置１１は、例えば、ブザー等の音声出力手段（不図示）、または表示灯（例えば、ＬＥＤ）等の表示出力手段（不図示）の少なくとも一方、あるいは、これらの組み合わせを使用することができる。
【００２６】
また、液晶プロジェクタ１は、盗難防止部９に接続された電源ユニット２０を備えている。この電源ユニット２０には、ＡＣ電源２３から電源ケーブル２１を介して電源電力（交流電圧）が供給されるとともに、ＡＣ電源２３から供給された交流電圧を直流電圧に変換することにより、ＡＣ電源２３からの電源電力を盗難防止部９に対して供給する。
【００２７】
また、図１に示すように、盗難防止部９は、ＡＣ電源２３のＯＮ／ＯＦＦ状態を検出する検出手段であるＩ／Ｏポート２２を備えており、当該Ｉ／Ｏポート２２は、ＣＰＵ１５、および電源ユニット２０に接続されている。そして、ＡＣ電源２３から電源電力が盗難防止部９に供給される場合は、ＡＣ電源２３が、Ｉ／Ｏポート２２に対してＨＩＧＨ信号を生成するとともに、当該ＨＩＧＨ信号がＣＰＵ１５に入力され、ＣＰＵ１５は、電源ＯＮの状態にあると判断する。一方、ＡＣ電源２３から電源電力が盗難防止部９に供給されない場合は、ＡＣ電源２３が、Ｉ／Ｏポート２２に対してＬＯＷ信号を生成するとともに、当該ＬＯＷ信号がＣＰＵ１５に入力され、ＣＰＵ１５は、電源ＯＦＦの状態にあると判断する。即ち、Ｉ／Ｏポート２２は、ＡＣ電源２３の状態をＣＰＵ１５が読み取るためのポートとして作用する。なお、上述の２次電池３０は、電源ＯＮの状態において、ＡＣ電源２３から電源電力が供給されることにより充電される構成となっている。また、ＡＣ電源２３がＯＦＦの状態にある場合は、２次電池３０により、盗難防止部９の各部に電源電力が供給される。
【００２８】
次に、盗難防止部９の動作について説明する。まず、液晶プロジェクタ１が盗まれそうになった時に、振動センサ１０が、液晶プロジェクタ１の盗難時における動きによる振動を検知する。より具体的には、例えば、振動センサ１０として、加速度センサを使用する場合は、当該加速度センサが、液晶プロジェクタ１において、直交する水平２方向（Ｘ軸、Ｙ軸）と垂直方向（Ｚ軸）の３軸の加速度を検出して、液晶プロジェクタ１の振動成分を検出する。次いで、加速度センサにより検出された加速度の検出値が出力されるとともに、ＣＰＵ１５に、当該検出値が入力される。次いで、ＣＰＵ１５は、加速度センサにより検出された検出値に基づいて、液晶プロジェクタ１が盗難状態にあるか否かを判定する。より具体的には、例えば、ＣＰＵ１５は、加速度センサにより検出された検出値に基づいて、液晶プロジェクタ１の傾斜角度を算出するとともに、加速度センサにより検出された検出値に基づいて算出した、液晶プロジェクタ１の傾斜角度と、ＲＯＭ１８に記憶され、予め設定された液晶プロジェクタ１の傾斜角度を比較する。
【００２９】
そして、ＣＰＵ１５は、加速度センサにより検出された検出値に基づいて算出した、液晶プロジェクタ１の傾斜角度が、予め設定された液晶プロジェクタ１の傾斜角度よりも大きいと判断した場合は、液晶プロジェクタ１が盗難状態にあるものと判定し、盗難検出信号を生成するとともに、当該盗難検出信号が、アラーム装置１１に入力される。そして、アラーム装置１１は、盗難を報知するために、ブザー音等の警報を発生する構成となっている。このように、本実施形態における盗難防止部９においては、振動センサ１０とアラーム装置１１が作動することにより、アラーム機能が作動する構成となっている。
【００３０】
一方、ＣＰＵ１５は、加速度センサにより検出された検出値に基づいて算出した、液晶プロジェクタ１の傾斜角度が、予め設定された液晶プロジェクタ１の傾斜角度よりも小さいと判断した場合は、液晶プロジェクタ１が盗難状態にないものと判定し、上述の盗難検出信号を生成しない。従って、この場合は、アラーム装置１１は作動せず、盗難を報知するためのブザー音等の警報は発生しない。
【００３１】
なお、盗難防止部９は、盗難防止モード（振動センサ１０が振動を検知することにより、アラーム装置１１により警報を発生させるモード）と、盗難防止解除モード（振動センサ１０が振動を検知しても、アラーム装置１１により警報を発生させないモード）を有しており、例えば、盗難防止部９に設けられたスイッチ（不図示）を操作することにより、これら２つのモードを切り替えることができる構成となっている。そして、盗難防止モードの状態にある場合に、上述の盗難防止部９のアラーム機能の作動が行われる構成となっている。
【００３２】
次に、盗難防止部９におけるアラーム機能の誤作動の防止について説明する。図２は、本発明の実施形態に係る映像表示装置における、盗難防止装置の誤作動を防止するための手順を説明するためのフローチャートである。
【００３３】
図２に示す手順は、盗難防止部９を備える液晶プロジェクタ１を工場からの出荷する前の手順を示すものである。まず、図２に示すように、液晶プロジェクタ１の各部（例えば、信号処理部２や液晶ドライバ３〜５）の調整を行うために、ＡＣ電源２３をＯＮの状態にする（ステップＳ１）。次いで、リモコン信号受光部１６が、リモコン１７から、盗難防止部９に対する工場出荷設定用のリモコン信号を受信するとともに、当該リモコン信号がＣＰＵ１２に入力される（ステップＳ２）。なお、「工場出荷設定」とは、盗難防止部９のアラーム機能の動作に必要なパラメータ（例えば、アラーム装置１１のブザーの音量や鳴動時間、振動センサ１０の感度等）を所定の初期値に設定するための処理を言う。次いで、ＣＰＵ１２は、入力されたリモコン信号に基づいて、盗難防止部９を制御するための制御信号を生成するとともに、当該制御信号が、盗難防止部９のＣＰＵ１５に入力される（ステップＳ３）。次いで、ＣＰＵ１５は、入力された制御信号に基づいて、上述の盗難防止部９のアラーム機能の動作に必要な各種パラメータを所定の初期値に設定して、ＲＯＭ１８に記憶させるとともに（ステップＳ４）、当該初期値の設定後、盗難防止部９のアラーム機能を停止させる（ステップＳ５）。即ち、ＣＰＵ１５は、入力された制御信号に基づいて、振動センサ１０とアラーム装置１１の機能を停止させる構成となっている。そして、振動センサ１０とアラーム装置１１の機能の停止後は、上述の盗難防止部９に設けられたスイッチ（不図示）を操作しても、盗難防止モードと盗難防止解除モードの切り替えを行うことができなくなる。
【００３４】
このように、本実施形態においては、液晶プロジェクタ１の工場出荷前の段階において、ＣＰＵ１２が盗難防止部９のアラーム機能を停止させる構成となっている。従って、工場からの出荷後、ユーザーが使用を開始するまでの間に（例えば、盗難防止装置の梱包を行う際や、運搬の際に）、盗難防止部９のアラーム機能の誤作動を防止することが可能になる。
【００３５】
次いで、液晶プロジェクタ１のパワーをＯＦＦにした後、ＡＣ電源２３をＯＦＦの状態にする（ステップＳ６）。次いで、ＡＣ電源２３が、Ｉ／Ｏポート２２に対してＬＯＷ信号を生成するとともに、当該ＬＯＷ信号がＣＰＵ１５に入力され、ＣＰＵ１５が、ＡＣ電源２３がＯＦＦの状態にあると判断（検出）する。そして、盗難防止部９に対するＡＣ電源２３の電源電力供給が遮断されるとともに、２次電池３０による、盗難防止部９への電源電力の供給が開始される（ステップＳ７）。次いで、ＣＰＵ１５は、ＡＣ電源２３がＯＦＦの状態にある場合（即ち、盗難防止部９に対するＡＣ電源２３による電源電力供給が遮断されている場合）に、盗難防止部９の各部に電源電力を供給する２次電池３０の消耗を抑制するために、盗難防止部９において、ＣＰＵ１５、Ｉ／Ｏポート２２以外の各部（例えば、ＲＯＭ１８やＲＡＭ１９）の機能を停止させ、盗難防止部９を低消費電力モード（または、待機モード）に設定する（ステップＳ８）。そして、液晶プロジェクタ１が工場から出荷される（ステップＳ９）。
【００３６】
次に、ユーザーにおける、アラーム機能の停止解除動作について説明する。図３は、本発明の実施形態に係る映像表示装置における、盗難防止装置のアラーム機能の停止を解除する手順を説明するためのフローチャートである。
【００３７】
図３に示す手順は、盗難防止部９を備える液晶プロジェクタ１を工場から出荷後、ユーザーが液晶プロジェクタ１の使用を開始する際の手順を示すものである。まず、図３に示すように、ユーザーが、液晶プロジェクタ１の使用を開始するために、ＡＣ電源２３をＯＮの状態にして（ステップＳ１１）、ＡＣ電源２３からの電源電力の供給が開始される。次いで、ＣＰＵ１２が、盗難防止部９のアラーム機能を動作させるための制御信号を生成し、当該制御信号がＣＰＵ１５に入力される（ステップＳ１２）。次いで、ＣＰＵ１５が、工場出荷前に設定された盗難防止部９の低消費電力モードを解除するとともに、上述の、ＲＯＭ１８に記憶された盗難防止部９のアラーム機能の動作に必要な各種パラメータの所定の初期値に関するデータをＣＰＵ１２に出力して、ＣＰＵ１２が当該初期値に関するデータを取得する（ステップＳ１３）。次いで、ＡＣ電源２３が、上述のＩ／Ｏポート２２に対してＨＩＧＨ信号を生成するとともに、当該ＨＩＧＨ信号がＣＰＵ１５に入力され、ＣＰＵ１５が、ＡＣ電源２３がＯＮの状態にあると判断（検出）する（ステップＳ１４）。そして、２次電池３０による電源電力の供給を遮断するとともに、ＡＣ電源２３による電源電力供給に切り替える（ステップＳ１５）。次いで、ＣＰＵ１５は、入力された制御信号に基づいて、盗難防止部９のアラーム機能を動作させる（ステップＳ１６）。より具体的には、ＣＰＵ１５は、入力された制御信号に基づいて、振動センサ１０とアラーム装置１１の機能を動作させる構成となっている。
【００３８】
このように、本実施形態においては、液晶プロジェクタ１の工場出荷後、ＡＣ電源２３からの電源電力の供給が開始された場合に、ＣＰＵ１２が、盗難防止装置のアラーム機能を動作させる構成となっている。従って、液晶プロジェクタ１の工場出荷後、ユーザーが液晶プロジェクタ１の使用を開始する際に、簡単な構成で、盗難防止部９のアラーム機能を動作させることができる。
【００３９】
なお、振動センサ１０とアラーム装置１１の機能の動作後は、上述の盗難防止部９に設けられたスイッチ（不図示）を操作することにより、盗難防止モードと盗難防止解除モードの切り替えを行うことができ、ユーザーは必要に応じて、盗難防止モードを任意に設定することが可能になる。
【００４０】
以上に説明した本実施形態によれば、以下の効果を得ることができる。
（１）本実施形態の液晶プロジェクタ１においては、液晶プロジェクタ１の盗難を防止するためのアラーム機能を有する盗難防止部９と、当該盗難防止部９を制御するための制御信号を生成するＣＰＵ１２とを備える構成としている。そして、ＣＰＵ１２が、液晶プロジェクタ１の工場出荷前に、盗難防止部９のアラーム機能を停止させる構成としている。従って、液晶プロジェクタ１の工場出荷後、ユーザーが液晶プロジェクタ１の使用を開始するまでの間に（例えば、液晶プロジェクタ１の梱包や運搬を行う際に）、盗難防止部９のアラーム機能の誤作動を防止することが可能になる。その結果、盗難防止部９のアラーム機能の誤作動によるブザー音等の警報の発生を防止することが可能になる。
【００４１】
（２）本実施形態の液晶プロジェクタ１においては、盗難防止部９が、液晶プロジェクタ１の盗難を検知する振動センサ１０と、振動センサ１０の検知結果に基づいて、液晶プロジェクタ１の盗難を報知するアラーム装置１１と、振動センサ１０、およびアラーム装置１１を制御するＣＰＵ１５を備える構成としている。そして、ＣＰＵ１５が、ＣＰＵ１２が生成した制御信号に基づいて、振動センサ１０とアラーム装置１１の機能を停止させる構成としている。従って、ＣＰＵ１２の制御信号に基づいて、簡単な構成で、盗難防止部９のアラーム機能の誤作動を防止することが可能になる。
【００４２】
（３）本実施形態の液晶プロジェクタ１においては、盗難防止部９が、当該盗難防止部９に対して電源電力を供給する２次電池３０を更に備え、ＡＣ電源２３からの電源電力の供給が遮断された場合に、２次電池３０から、盗難防止部９に電源電力が供給される構成としている。また、２次電池３０から、盗難防止部９に電源電力が供給される場合に、ＣＰＵ１５が、盗難防止部９を低消費電力モードに設定する構成としている。従って、液晶プロジェクタ１の工場出荷後、ユーザーが液晶プロジェクタ１の使用を開始するまでの間、２次電池３０の消耗を効果的に抑制することができる。
【００４３】
（４）本実施形態の液晶プロジェクタ１においては、液晶プロジェクタ１の工場出荷後、ＡＣ電源２３からの電源電力の供給が開始された場合に、ＣＰＵ１２が、盗難防止部９のアラーム機能を動作させる構成としている。従って、液晶プロジェクタ１の工場出荷後、ユーザーが液晶プロジェクタ１の使用を開始する際に、簡単な構成で、盗難防止部９のアラーム機能を動作させることができる。その結果、ユーザーが煩わしい操作を行うことなく、盗難防止部９のアラーム機能を動作させることができるため、ユーザーの利便性が向上する。
【００４４】
（５）本実施形態の液晶プロジェクタ１においては、ＣＰＵ１５は、ＣＰＵ１２が生成した制御信号に基づいて、振動センサ１０とアラーム装置１１の機能を動作させる構成としている。従って、ＣＰＵ１２の制御信号に基づいて、簡単な構成で、盗難防止部９のアラーム機能を動作することが可能になる。
【００４５】
なお、上記実施形態は以下のように変更しても良い。
・ユーザーが使用する場合における、上述の盗難防止モードの解除は、例えば、盗難防止部９に設けられたボタン（不図示）を操作して、パスワードを入力することにより行うことができる。このような構成により、ユーザー以外の他者により、上述の盗難防止モードが解除されるのを防止することができる。
【００４６】
また、上述の２次電池３０の消耗、盗難防止モードの設定、およびパスワードを変更したことを報知するための他の報知手段（不図示）を、盗難防止部９に設ける構成としても良い。例えば、他の報知手段として、ＬＥＤを設けるとともに、２次電池３０が消耗した場合に、所定時間（例えば、２０秒）毎に点滅させることにより、ユーザーに対して、２次電池が消耗していること報知することができる。
【００４７】
・また、上記実施形態においては、映像表示装置として、液晶パネルを用いた液晶プロジェクタを示したが、本発明は、他の映像光生成系を備える映像表示装置においても適用することができる。
【００４８】
・また、前面投射型の映像表示装置や、背面投射型の映像表示装置においても、本発明を適用することができる。
【産業上の利用可能性】
【００４９】
本発明の活用例としては、盗難防止機能を備えた液晶プロジェクタ等の映像表示装置が挙げられる。
【図面の簡単な説明】
【００５０】
【図１】本発明の実施形態に係る映像表示装置の構成を示すブロック図である。
【図２】本発明の実施形態に係る映像表示装置における、盗難防止装置の誤作動を防止するための手順を説明するためのフローチャートである。
【図３】本発明の実施形態に係る映像表示装置における、盗難防止装置のアラーム機能の停止を解除する手順を説明するためのフローチャートである。
【符号の説明】
【００５１】
１…液晶プロジェクタ、２…信号処理部、３…赤色用液晶ドライバ、４…緑色用液晶ドライバ、５…青色用液晶ドライバ、６…赤色用液晶パネル、７…緑色用液晶パネル、８…青色用液晶パネル、９…盗難防止部、１０…振動センサ、１１…アラーム装置、１２…ＣＰＵ（制御手段）、１５…ＣＰＵ（他の制御手段）、２０…電源ユニット、２３…ＡＣ電源、３０…２次電池
【図１】
2008097352.tif 000003
【図２】
2008097352.tif 000004
【図３】
2008097352.tif 000005